(57)【要約】  【課題】  ディジタルテレビジョン放送対応の電子機器で、アナログテレビジョン放送を視聴可能にする。  【解決手段】  チューナモジュールは、ディジタルテレビジョン放送の電波を受信してディジタルチューナ部に供給すると共に、アナログテレビジョン放送の電波を受信してアナログチューナ部に供給する。ディジタルチューナ部は、ディジタルテレビジョン放送の電波から所定の信号を選択し、信号処理を施し得られるＴＳを切替部に供給する。一方、アナログチューナ部は、アナログテレビジョン放送の電波から所定の信号を選択し、信号処理を施し得られる映像信号と音声信号とを信号処理部に供給する。信号処理部は、映像信号と音声信号とを圧縮符号化し多重化してＴＳに変換し、切替部に供給する。切替部は、入力端子に供給されたＴＳを所定に切り替えて電子機器に供給する。電子機器は、供給されたＴＳに対して信号処理を施し、映像表示や音声出力を行う。【選択図】  図１
2007013820.tif 000002
【特許請求の範囲】
【請求項１】
ディジタルテレビジョン放送の電波から所定の周波数のディジタル変調信号を選択し、上記ディジタル変調信号を復調して第１のディジタル信号を出力するディジタルチューナ部と、
アナログテレビジョン放送の電波から所定の周波数のアナログ変調信号を選択し、上記アナログ変調信号を検波して映像信号および音声信号を出力するアナログチューナ部と、
上記映像信号および音声信号に対してそれぞれ所定の圧縮符号化処理を施して映像データおよび音声データを生成し、上記映像データおよび音声データを多重化して第２のディジタル信号を出力するディジタル変換部と、
上記第１のディジタル信号と上記第２のディジタル信号との一方を選択的に出力する切替部と、
上記切替部で選択された上記第１および第２のディジタル信号の一方のディジタル信号の授受を外部の機器との間で行うインターフェースと
を有することを特徴とするチューナモジュール。
【請求項２】
請求項１に記載のチューナモジュールにおいて、
上記ディジタル変換部は、上記映像データおよび音声データの多重化の際に、上記映像データおよび音声データをそれぞれ複数のパケットに分割し、該パケットに対してパケット情報を示すヘッダをそれぞれ付加するようにしたことを特徴とするチューナモジュール。
【請求項３】
請求項１に記載のチューナモジュールにおいて、
上記所定の圧縮符号化は、上記外部の機器が備える映像デコーダおよび音声デコーダで復号されるものであることを特徴とするチューナモジュール。
【請求項４】
請求項１に記載のチューナモジュールにおいて、
上記第１および第２のディジタル信号は、該第１および第２のディジタル信号に対して共通である、上記外部の機器が備えるデコーダにより復号されるものであることを特徴とするチューナモジュール。
【発明の詳細な説明】
【技術分野】
【０００１】
この発明は、ディジタルテレビジョン放送およびアナログテレビジョン放送が受信可能なテレビジョン放送用チューナモジュールに関する。
【背景技術】
【０００２】
ＣＳ（Communication Satellite）ディジタルテレビジョン放送やＢＳ（Broadcasting Satellite）ディジタルテレビジョン放送に続き、地上波ディジタルテレビジョン放送の提供が開始され、今後は、ディジタルテレビジョン放送が主流となり、ディジタルテレビジョン放送対応のテレビジョン受像機やチューナが急速に普及すると考えられる。また、ディジタルテレビジョン放送の普及に伴い、アナログテレビジョン放送は、廃止の方向に向かっている。
【０００３】
しかしながら、例えば、地上波ディジタルテレビジョン放送は、現在のところ全国展開されておらず、一部の地域でしか視聴することができない。そのため、現状では、アナログテレビジョン放送が主流であり、今後もアナログテレビジョン放送を受信するための機能が必要であると考えられる。
【０００４】
現時点では、ディジタルテレビジョン放送対応のテレビジョン受像機やＰＣ（Personal Computer）、ＰＤＡ（Personal Digital Assistant）などには、ディジタルテレビジョン放送およびアナログテレビジョン放送の両放送が視聴可能なように、ディジタルテレビジョン放送用チューナとアナログテレビジョン放送用チューナとが搭載されたものが多い。
【０００５】
このように、アナログテレビジョン放送およびディジタルテレビジョン放送に対応したテレビジョン受像機に関する技術が特許文献１に記載されている。
【０００６】
【特許文献１】特開平１１−９８４２６号公報
【０００７】
従来のディジタルテレビジョン放送およびアナログテレビジョン放送が受信可能なチューナモジュールおよび電子機器について、概略的に説明する。ここでは、ディジタルテレビジョン放送用チューナとアナログテレビジョン放送用チューナとを搭載したチューナモジュールを、それぞれの放送に対応したデコーダを搭載した電子機器に接続した場合を例にとって説明する。
【０００８】
図５は、従来のチューナモジュール１０１および電子機器１０２の一例の構成を示す。チューナモジュール１０１のディジタル通信インターフェース１１２と電子機器１０２のディジタル通信インターフェース１２９とを接続すると共に、チューナモジュール１０１のアナログ通信インターフェース１１３と電子機器１０２のアナログ通信インターフェース１３０とを接続する。
【０００９】
チューナモジュール１０１は、外部のアンテナ１０３が接続され、放送設備１０４から送信されたディジタルテレビジョン放送および／またはアナログテレビジョン放送の電波を受信する。受信したディジタルテレビジョン放送の電波がディジタルチューナ部１１０に供給されると共に、アナログテレビジョン放送の電波がアナログチューナ部１１１に供給される。
【００１０】
放送設備１０４では、例えば、地上波ディジタルテレビジョン放送の場合、ＭＰＥＧ−２（Moving Picture Experts Group-2）方式により、映像、音声およびデータの圧縮符号化を行う。そして、ＭＰＥＧ−２システムズ（MPEG-2 Systems）の規定に従い、映像データ、音声データおよびこれらに付加される付加データを各チャンネル毎およびデータ種類毎にパケット化し、時分割で多重化してトランスポートストリーム（ＴＳ：Transport Stream）と呼ばれるパケット列を生成する。
【００１１】
生成されたトランスポートストリーム（以下、ＴＳと適宜称する）は、特定のユーザのみが視聴できるようにするためのスクランブル処理が施される。そして、スクランブル処理されたＴＳに対して、変調処理が施されて送信される。変調方式は、例えば、地上波ディジタルテレビジョン放送の場合、衛星ディジタルテレビジョン放送と異なり、山やビルなどによる反射波を考慮する必要があるため、マルチパスによる妨害に強いＯＦＤＭ（Orthogonal Frequency Division Multiplex）変調方式が用いられる。
【００１２】
また、放送設備１０４は、例えば、地上波アナログテレビジョン放送の場合、映像信号をＡＭ（Amplitude Modulation）変調して送信すると共に、音声信号をＦＭ（Frequency Modulation）変調して送信する。
【００１３】
ここで、ＴＳについて、図６を参照して概略的に説明する。図６は、ＴＳの構造を示す。ＴＳは、図６Ａに示すように、ＴＳパケットで構成されている。ＴＳパケットは、１８８バイトの固定長のパケットであり、図６Ｂに示すように、ＴＳヘッダとＴＳペイロードおよび／またはアダプテーションフィールドで構成されている。ＴＳパケットのＴＳヘッダは、図６Ｃに示すように、ＴＳパケットの先頭を検出するための同期バイト、パケットの中のビットエラーの有無を示す誤り表示、新たなＰＥＳ（Packetized Elementary Stream）パケットの開始を示すユニット開始表示、パケットの重要度を示す優先度、パケットの属性を示すＰＩＤ（Packet IDentification）等で構成される。アダプテーションフィールドは、ＴＳペイロードのデータに関する情報を示すことができるものである。
【００１４】
ＰＩＤは、１３ビットの値によりパケットの属性を示し、ＴＳペイロードに格納されるデータの種類により値が異なる。このＰＩＤは、必要とするＴＳパケットをフィルタリングする際に用いられる。
【００１５】
図５に戻って説明すると、ディジタルチューナ部１１０は、供給されたディジタルテレビジョン放送の電波から所定の周波数の信号を選択し、復調や誤り訂正などの所定の信号処理を施してＴＳを出力する。ディジタルチューナ部１１０から出力されたＴＳは、ディジタル通信インターフェース１１２に供給され、ディジタル通信インターフェース１１２に接続された電子機器１０２のディジタル通信インターフェース１２９を介して電子機器１０２に供給される。
【００１６】
一方、アナログチューナ部１１１は、供給されたアナログテレビジョン放送の電波から所定の周波数の信号を選択し、選択されたアナログ信号に対して映像中間周波増幅やＡＭ検波などの所定の信号処理を施し、映像信号を取り出すと共に、音声中間周波増幅やＦＭ検波などの所定の信号処理を施して音声信号を取り出す。映像信号および音声信号は、アナログ通信インターフェース１１３に供給され、アナログ通信インターフェース１１３に接続された電子機器１０２のアナログ通信インターフェース１３０を介して電子機器１０２に供給される。
【００１７】
ディジタル通信インターフェース１２９を介して電子機器１０２に供給されたＴＳは、デスクランブラ１２０に供給される。デスクランブラ１２０は、スクランブルを解除するための処理を施し、ＤｅＭＵＸ（De-MUltipleXer）部１２１へ供給する。ＤｅＭＵＸ部１２１は、ＴＳパケットのヘッダ部に格納されたＰＩＤの値に基づきフィルタリングを行い、多重されたＴＳから必要なストリームを取り出し、ディジタルデコーダ１２２に供給する。
【００１８】
ディジタルデコーダ１２２は、ＤｅＭＵＸ部１２１から供給されたストリームに含まれる映像データ、音声データおよび付加データに対して、それぞれのデータに応じた復号化処理を施し、映像信号、音声信号および付加データを出力する。復号された映像信号および付加データは、表示部１２３に供給される。付加データは、表示部１２３に供給され、例えば、ＯＳＤ（On Screen Display）処理により、映像信号に重ね合わせて表示することができる。また、音声信号は、音声出力部１２４に供給される。
【００１９】
一方、アナログ通信インターフェース１３０を介して電子機器１０２に供給された映像信号および音声信号は、アナログデコーダ１４０に供給される。アナログデコーダ１４０は、供給された映像信号に対して色復調などの信号処理を施し、輝度信号および色差信号を取り出す。そして、得られた輝度信号および色差信号が表示部１２３に供給されると共に、音声信号が音声出力部１２４に供給される。
【００２０】
表示部１２３は、ディジタルデコーダ１２２およびアナログデコーダ１４０から供給された映像信号をユーザの要求に応じて切り替えて表示する。音声出力部１２４は、アナログデコーダ１４０およびディジタルデコーダ１２２から供給された音声信号をユーザの要求に応じて切り替えて出力する。
【００２１】
操作部１２８は、例えばキーボードからなり、ユーザがチャンネルを選択するなどの操作に応じた選局情報が出力される。操作部１２８から出力された選局情報は、ＣＰＵ（Central Processing Unit）１２５に供給される。
【００２２】
ＣＰＵ１２５は、ＲＯＭ（Read Only Memory）１２６に予め格納されたプログラムに従い、電子機器１０２の各部を制御すると共に、ディジタル通信インターフェース１２９を介してチューナモジュール１０１の各部を制御する。また、ＣＰＵ１２５は、ＲＡＭ（Random Access Memory）１２７を有し、プログラム実行時のワークメモリとして用いる。例えば、ＣＰＵ１２５は、操作部１２８から供給された選局情報に基づき、所定の周波数の信号を選択するようディジタルチューナ部１１０およびアナログチューナ部１１１を制御する。
【発明の開示】
【発明が解決しようとする課題】
【００２３】
上述したように、アナログテレビジョン放送用チューナから出力される映像信号および音声信号は、ディジタル通信インターフェースを用いて伝送することができないので、このようなアナログ信号を電子機器に供給するためには、アナログ通信インターフェースが必要となる。すなわち、ディジタルテレビジョン放送およびアナログテレビジョン放送の両放送を視聴可能にするためには、ディジタル通信インターフェースとアナログ通信インターフェースとが必要となり、接続が煩わしいという問題点があった。
【００２４】
また、ディジタルテレビジョン放送およびアナログテレビジョン放送の両放送を視聴する場合、電子機器には、ディジタルテレビジョン放送用デコーダおよびアナログテレビジョン放送用デコーダとを搭載する必要がある。しかしながら、将来的に不要となるアナログテレビジョン放送用デコーダを設けた場合、コストがかかってしまったり、電子機器の小型化に影響を与えてしまうという問題点があった。
【００２５】
従って、この発明の目的は、ディジタルテレビジョン放送にのみ対応する電子機器で、ディジタルテレビジョン放送およびアナログテレビジョン放送の視聴を可能にするチューナモジュールを提供することにある。
【課題を解決するための手段】
【００２６】
上述した課題を解決するために、この発明は、ディジタルテレビジョン放送の電波から所定の周波数のディジタル変調信号を選択し、ディジタル変調信号を復調して第１のディジタル信号を出力するディジタルチューナ部と、アナログテレビジョン放送の電波から所定の周波数のアナログ変調信号を選択し、アナログ変調信号を検波して映像信号および音声信号を出力するアナログチューナ部と、映像信号および音声信号に対してそれぞれ所定の圧縮符号化処理を施して映像データおよび音声データを生成し、映像データおよび音声データを多重化して第２のディジタル信号を出力するディジタル変換部と、第１のディジタル信号と第２のディジタル信号との一方を選択的に出力する切替部と、切替部で選択された第１および第２のディジタル信号の一方のディジタル信号の授受を外部の機器との間で行うインターフェースとを有することを特徴とするチューナモジュールである。
【００２７】
上述したように、この発明は、ディジタルテレビジョン放送の電波から所定の周波数のディジタル変調信号を選択し、ディジタル変調信号を復調して第１のディジタル信号を出力し、アナログテレビジョン放送の電波から所定の周波数のアナログ変調信号を選択し、アナログ変調信号を検波して得られる映像信号および音声信号に対してそれぞれ所定の圧縮符号化処理を施して映像データおよび音声データを生成し、映像データおよび音声データを多重化して第２のディジタル信号を出力し、第１のディジタル信号と第２のディジタル信号との一方を切替部で選択的に出力し、切替部で選択された第１および第２のディジタル信号の一方のディジタル信号の授受を外部の機器との間で行うようにしているため、ディジタルテレビジョン放送にのみ対応した電子機器でアナログテレビジョン放送を視聴することができる。
【発明の効果】
【００２８】
この発明は、アナログテレビジョン放送のアナログ信号をディジタルテレビジョン放送形式のディジタル信号に変換して電子機器に供給するようにしているため、ディジタルテレビジョン放送用デコーダのみを搭載した電子機器でアナログテレビジョン放送を視聴することができる。
【発明を実施するための最良の形態】
【００２９】
以下、この発明の実施の一形態について説明する。この発明は、アナログテレビジョン放送の映像信号および音声信号をディジタルテレビジョン放送形式のディジタル信号に変換することにより、ディジタルテレビジョン放送にのみ対応した電子機器で、アナログテレビジョン放送を視聴できるようにした。ここでは、ＰＣやＰＤＡなどの映像が表示可能な電子機器に対して、ディジタルテレビジョン放送およびアナログテレビジョン放送が受信可能なチューナモジュールを接続する場合について説明する。また、以下では、地上波ディジタルテレビジョン放送用チューナおよび地上波アナログテレビジョン放送用チューナを搭載したチューナモジュールを例にとって説明する。
【００３０】
なお、この例では、説明を簡略化するため、地上波ディジタルテレビジョン放送および地上波アナログテレビジョン放送の電波は、１つの放送設備から送信されるものとする。
【００３１】
図１は、この発明の実施の一形態に適用可能なチューナモジュール１および電子機器２の一例の構成を示す。先ず、チューナモジュール１の構成について説明する。チューナモジュール１は、ディジタルテレビジョン放送およびアナログテレビジョン放送を受信し、受信したアナログテレビジョン放送のアナログ信号をディジタルテレビジョン放送形式のディジタル信号に変換する。そして、ディジタルテレビジョン放送のディジタル信号である第１のディジタル信号と、アナログテレビジョン放送の信号を変換した第２のディジタル信号とを切り替えて出力することができる。
【００３２】
チューナモジュール１は、ディジタルチューナ部１０、アナログチューナ部１１、ディジタル変換部１２、切替部１３、制御部１４、ＲＡＭ１５およびディジタル通信インターフェース１６を備える。チューナモジュール１は、外部のアンテナ３が接続され、放送設備４から送信されたディジタルテレビジョン放送およびアナログテレビジョン放送の電波を受信する。受信したディジタルテレビジョン放送の電波がディジタルチューナ部１０に供給されると共に、アナログテレビジョン放送の電波がアナログチューナ部１１に供給される。
【００３３】
ディジタルチューナ部１０は、供給されたディジタルテレビジョン放送の電波に対して、復調や誤り訂正などの所定の信号処理を施してＴＳを出力する。ディジタルチューナ部１０から出力されたＴＳは、切替部１３の入力端子１３ａに供給される。
【００３４】
一方、アナログチューナ部１１は、供給されたアナログテレビジョン放送の電波から所定の周波数の信号を選択し、選択された信号から映像信号と音声信号とを抽出してディジタル変換部１２に供給する。ディジタル変換部１２は、供給された映像信号および音声信号に対して所定の信号処理を施し、ＴＳの形式に変換して出力する。ディジタル変換部１２から出力されたＴＳは、切替部１３の入力端子１３ｂに供給される。
【００３５】
図２は、ディジタルチューナ部１０の一例の構成を示す。ディジタルチューナ部１０は、選局部４０、復調部４１および誤り訂正処理部４２を備え、後述する制御部１４により各部が制御される。選局部４０は、アンテナ３から供給されたディジタルテレビジョン放送の電波から所定の周波数の変調信号を選局し、復調部４１に供給する。復調部４１は、選局部４０から供給された変調信号に対して所定の方式に基づく復調処理を施す。復調方式は、例えば、地上波ディジタルテレビジョン放送の場合、ＯＦＤＭ方式が用いられる。復調されたＴＳを誤り訂正処理部４２に供給する。誤り訂正処理部４２は、復調部４１から供給されたＴＳに対して誤り訂正処理を行い、ＴＳを出力する。
【００３６】
図３は、アナログチューナ部１１の一例の構成を示す。アナログチューナ部１１は、選局部５０、映像検波部５１および音声検波部５２を備え、後述する制御部１４により各部が制御される。選局部５０は、アンテナ３から供給されたアナログテレビジョン放送の電波から所定の周波数の信号を選択し、選択された信号を所定の周波数の映像中間周波信号に変換する。得られた映像中間周波信号は、映像検波部５１および音声検波部５２に供給される。
【００３７】
映像検波部５１は、選局部５０から供給された映像中間周波信号をＡＭ検波し、映像信号を抽出する。抽出された映像信号は、ディジタル変換部１２に供給される。音声検波部５２は、選局部５０から供給された映像中間周波信号から音声中間周波信号を取り出した後、ＦＭ検波して音声信号を抽出する。抽出された音声信号は、ディジタル変換部１２に供給される。
【００３８】
図４は、ディジタル変換部１２の一例の構成を示す。ディジタル変換部１２は、映像デコーダ５３、映像符号化部５４、Ａ／Ｄ変換部５５、音声符号化部５６およびＭＵＸ（MUltipleXer）部５７を備え、後述する制御部１４により各部が制御される。映像デコーダ５３は、アナログチューナ部１１から供給された映像信号に対して色復調などの信号処理を施し、輝度信号および色差信号を取り出す。輝度信号および色差信号は、映像符号化部５４に供給される。
【００３９】
映像符号化部５４は、供給された輝度信号および色差信号に対して所定の圧縮符号化処理を施し、映像データを出力する。圧縮符号化方式は、例えば、ＭＰＥＧ−２方式が用いられる。また、例えば、ＰＤＡや携帯電話などの携帯端末で地上波ディジタルテレビジョン放送を視聴する場合、圧縮符号化方式として、高い圧縮率を有するＨ．２６４／ＡＶＣ（H.264/Advanced Video Coding）方式を用いてもよい。圧縮符号化された映像データは、ＭＵＸ部５７に供給される。
【００４０】
一方、Ａ／Ｄ変換部５５は、供給された音声信号をディジタル音声信号に変換する。変換されたディジタル音声信号は、音声符号化部５６に供給される。音声符号化部５６は、供給されたディジタル音声信号に対して所定の圧縮符号化処理を施し、音声データを出力する。圧縮符号化方式は、例えば、地上波ディジタルテレビジョン放送の場合、ＭＰＥＧ−２  ＡＡＣ（MPEG-2 Advanced Audio Coding）方式が用いられる。圧縮符号化された音声データは、ＭＵＸ部５７に供給される。
【００４１】
ＭＵＸ部５７は、映像符号化部５４から供給される圧縮符号化された映像データと、音声符号化部５６から供給される圧縮符号化された音声データとをそれぞれ複数のＴＳパケットに分割する。そして、ＭＵＸ部５７は、ディジタルテレビジョン放送の形式と同様のＴＳヘッダとして、例えばＴＳパケットの属性を示すＰＩＤなどの情報をそれぞれのＴＳパケットに付加し、ＴＳパケットを多重化してＴＳを生成する。生成されたＴＳは、切替部１３の入力端子１３ｂに供給される。
【００４２】
図１に戻って説明すると、制御部１４は、後述する電子機器２のＣＰＵ２５からの命令に基づき、チューナモジュール１の各部の制御を行う。また、制御部１４は、ＲＡＭ１５をプログラム実行時のワークメモリとして用いる。
【００４３】
切替部１３は、制御部１４の制御に基づき、入力端子１３ａまたは１３ｂを選択する。選択された入力端子に供給されたＴＳは、ディジタル通信インターフェース１６に供給される。ディジタル通信インターフェース１６は、接続された電子機器２との通信を制御し、切替部１３から供給されたＴＳを電子機器２に供給する。
【００４４】
次に、電子機器２の構成の一例について説明する。電子機器２は、チューナモジュール１から供給されたＴＳに対して、デスクランブラや復号などの所定の信号処理を施し、ユーザの操作に応じて所定のチャンネルを選択し、映像の表示や音声の出力を行う。
【００４５】
電子機器２は、デスクランブラ２０、ＤｅＭＵＸ部２１、デコーダ２２、表示部２３、音声出力部２４、ＣＰＵ２５、ＲＯＭ２６、ＲＡＭ２７、操作部２８およびディジタル通信インターフェース２９を備える。ディジタル通信インターフェース２９は接続されたチューナモジュール１との通信を制御し、チューナモジュール１から供給されたＴＳをデスクランブラ２０に供給する。
【００４６】
デスクランブラ２０は、ディジタル通信インターフェース２９を介して供給されたＴＳに対し、必要に応じてスクランブルを解除するための処理を施し、ＤｅＭＵＸ部２１に供給する。なお、アナログテレビジョン放送の信号を変換したＴＳは、スクランブル処理が施されていないので、このＴＳがデスクランブラ２０に供給された場合、デスクランブラ２０は、供給されたＴＳをそのままＤｅＭＵＸ部２１に供給する。
【００４７】
ＤｅＭＵＸ部２１は、ＴＳパケットのヘッダ部に格納されたＰＩＤの値に基づきフィルタリングを行い、多重されたＴＳから必要なストリームを取り出し、デコーダ２２に供給する。
【００４８】
デコーダ２２は、ＤｅＭＵＸ部２１から供給されたストリームに含まれる映像データ、音声データおよび付加データに対して復号処理を施す。デコーダ２２は、映像データを復号する映像デコーダ３０、音声データを復号する音声デコーダ３１および付加データを復号するデータデコーダ３３を備え、それぞれのデータに応じた復号処理を施し、映像データ、音声データおよび付加データを出力する。復号された映像データおよび付加データは、表示部２３に供給されて表示される。付加データは、例えば、ＯＳＤ処理により、映像に重ね合わせて表示することができる。表示部２３としては、例えば、ＣＲＴ（Cathode Ray Tube）やＬＣＤ（Liquid Crystal Display）が用いられる。また、復号された音声データは、音声出力部２４に供給されて音声が出力される。
【００４９】
操作部２８は、例えばキーボードからなり、ディジタルテレビジョン放送またはアナログテレビジョン放送の選択情報や、チャンネルを選択するための選局情報がユーザによって入力される。入力された選局情報は、ＣＰＵ２５に供給される。
【００５０】
ＣＰＵ２５は、ＲＯＭ２６に予め格納されたプログラムに従い、電子機器２の各部を制御すると共に、ディジタル通信インターフェース２９を介してチューナモジュール１の制御部１４を制御する。また、ＣＰＵ２５は、ＲＡＭ２７を有し、プログラム実行時のワークメモリとして用いる。ＣＰＵ２５は、例えば、操作部２８から供給された選局情報に基づき、所定の周波数の信号を選択するようチューナモジュール１の制御部１４やＤｅＭＵＸ部２１を制御する。
【００５１】
このように、アナログテレビジョン放送のアナログ信号をディジタルテレビジョン放送形式のディジタル信号に変換することにより、ディジタルテレビジョン放送に対応した電子機器において、ディジタルテレビジョン放送を視聴するだけでなく、アナログテレビジョン放送を視聴することができる。
【００５２】
なお、上述では、地上波アナログテレビジョン放送を受信する場合の例について説明したが、これはこの例に限られない。例えば、ＢＳアナログテレビジョン放送やＣＳアナログテレビジョン放送などのアナログ衛星放送を受信する場合についても適用可能である。
【００５３】
また、例えば、上述のチューナモジュールからディジタルテレビジョン放送を受信する回路を除いたアナログテレビジョン放送用チューナモジュールや、アナログテレビジョン放送を受信する回路を除いたディジタルテレビジョン放送用チューナモジュールなどを用意し、これらのチューナモジュールをユーザの必要に応じて使い分けることにより、アナログテレビジョン放送専用やディジタルテレビジョン放送専用、アナログ／ディジタルテレビジョン放送兼用の電子機器として、それぞれが対応するテレビジョン放送を視聴することができる。
【００５４】
以上、この発明の実施の一形態について具体的に説明したが、この発明は、上述の実施の一形態に限定されるものではなく、この発明の技術的思想に基づく各種の変形が可能である。例えば、上述したチューナモジュール１にアナログ通信インターフェースをさらに設け、アナログ通信インターフェースを介して外部から映像信号および音声信号を入力し、ディジタル変換部１２に供給するようにしてもよい。例えば、アナログＶＴＲ（Video Tape Recorder）のアナログ通信インターフェースとチューナモジュールのアナログ通信インターフェースとを接続することにより、電子機器は、ビデオテープなどの記録媒体に記録された映像信号および音声信号に基づき、映像や音声を出力することができる。
【００５５】
また、例えば、アナログチューナ部１２を外部に設け、アナログチューナ部１２から出力される映像信号および音声信号を、アナログ通信インターフェースを介して外部から映像信号および音声信号を入力するようにしてもよい。
【００５６】
また、この例では、外部のアンテナ４を用いてディジタルテレビジョン放送の電波を受信するように説明したが、これはこの例に限られない。例えば、チューナモジュール１に、アンテナを内蔵し、この内蔵アンテナを用いて電波を受信するようにしてもよい。
【図面の簡単な説明】
【００５７】
【図１】この発明の実施の一形態に適用可能なチューナモジュールおよび電子機器の一例の構成を示すブロック図である。
【図２】ディジタルチューナ部の一例の構成を示すブロック図である。
【図３】アナログチューナ部の一例の構成を示すブロック図である。
【図４】ディジタル変換部の一例の構成を示すブロック図である。
【図５】従来のチューナモジュールおよび電子機器の一例の構成を示すブロック図である。
【図６】トランスポートストリームの一例の構成を示す略線図である。
【符号の説明】
【００５８】
１  チューナモジュール
２  電子機器
１０  ディジタルチューナ部
１１  アナログチューナ部
１２  ディジタル変換部
１３  切替部
１４  制御部
１６  ディジタル通信インターフェース
２０  デスクランブラ
２１  ＤｅＭＵＸ部
２２  デコーダ
２３  表示部
２４  音声出力部
５０  選局部
５１  映像検波部
５２  音声検波部
５３  映像デコーダ
５４  映像符号化部
５５  Ａ／Ｄ変換部
５６  音声符号化部
５７  ＭＵＸ部
【図１】
2007013820.tif 000003
【図２】
2007013820.tif 000004
【図３】
2007013820.tif 000005
【図４】
2007013820.tif 000006
【図５】
2007013820.tif 000007
【図６】
2007013820.tif 000008